(57)【要約】【課題】１つの実施形態により、２つのサイドパネルと２つのサイドパネル間のフロントパネルとを有するしまい込み可能なディスプレイシェードを含む、無線携帯型制御ユニットのための一体型アンテナ・ディスプレイシェード、が提供される。【解決手段】２つのサイドパネルのそれぞれは、しまい込まれるときにはフロントパネルの面と略平行な面に折り曲げることができるようにかつビジュアルディスプレイを遮蔽するように展開されるときにはフロントパネルの面に対して略直交する面に折り曲げることができるようにフロントパネルの両縁部に折り曲げ可能に接続される。フロントパネルは能動アンテナを含み、サイドパネルのそれぞれは寄生アンテナを含む。【選択図】図２
2013511927.tif 000002
【特許請求の範囲】
【請求項１】
無線携帯型制御ユニットのための一体型アンテナ・ディスプレイシェードであって、
ａ）２つのサイドパネルと前記２つのサイドパネル間のフロントパネルとを備えた、しまい込み可能なディスプレイシェードであって、前記２つのサイドパネルのそれぞれが、しまい込まれるときには前記フロントパネルの面と略平行な面に折り曲げることができるように且つビジュアルディスプレイを遮蔽するように展開されるときには前記フロントパネルの面に対して略直交する面に折り曲げることができるように、前記フロントパネルの両縁部に折り曲げ可能に接続される、当該ディスプレイシェード、を備えており、
ｂ）前記フロントパネルは、能動アンテナを備え、
ｃ）前記サイドパネルのそれぞれは、寄生アンテナを備える、
一体型アンテナ・ディスプレイシェード。
【請求項２】
前記能動アンテナがダイポールアンテナである、請求項１に記載の一体型アンテナ・ディスプレイシェード。
【請求項３】
前記能動アンテナがスリーブを更に備える、請求項２に記載の一体型アンテナ・ディスプレイシェード。
【請求項４】
前記寄生アンテナのそれぞれがスリーブを更に備える、請求項３に記載の一体型アンテナ・ディスプレイシェード。
【請求項５】
前記フロントパネルが前面と後面とを備え、
前記ダイポールアンテナが、前記前面上にある部分と、前記後面上にある部分と、を備える、請求項２に記載の一体型アンテナ・ディスプレイシェード。
【請求項６】
前記寄生アンテナがダイポールアンテナである、請求項２に記載の一体型アンテナ・ディスプレイシェード。
【請求項７】
前記寄生アンテナのそれぞれがスリーブを更に備える、請求項６に記載の一体型アンテナ・ディスプレイシェード。
【請求項８】
前記ダイポールアンテナのそれぞれが、その対応する前記フロントパネルまたは前記サイドパネルの平面上にある部分を有する、請求項６に記載の一体型アンテナ・ディスプレイシェード。
【請求項９】
前記能動アンテナおよび前記寄生アンテナが、それらの対応する前記フロントパネルまたは前記サイドパネルの向かい側の平面上にある部分を有する、請求項１に記載の一体型アンテナ・ディスプレイシェード。
【請求項１０】
前記フロントパネルおよび前記サイドパネルは、前記フロントパネルが前記ビジュアルディスプレイに関する法線から後方へ傾けられるように構成され、それにより、前記能動アンテナは、前記しまい込み可能なディスプレイシェードが前記ビジュアルディスプレイを遮蔽するように展開されるときに仰角のあるアンテナパターンを与える、請求項１に記載の一体型アンテナ・ディスプレイシェード。
【請求項１１】
無線携帯型制御ユニットのための携帯型指向性アンテナ構造であって、
ａ）２つのサイド部と前記２つのサイド部間のフロント部とを備える折り曲げ可能なパネル構造であって、前記２つのサイド部のそれぞれが、しまい込まれるときには前記フロント部の面と略平行な面に折り曲げることができるように且つ指向性アンテナとして展開されるときには前記フロント部の面に対して略直交する面に折り曲げることができるように、前記フロント部の両縁部に折り曲げ可能に接続される、当該パネル構造、を備えており、
ｂ）前記フロント部は、少なくとも１つの能動ダイポールアンテナを備え、
ｃ）前記サイド部のそれぞれは、少なくとも１つの寄生ダイポールアンテナを備える、
携帯型指向性アンテナ構造。
【請求項１２】
前記フロント部は、前記指向性アンテナが展開されるときに仰角のあるアンテナパターンを与えるように法線から後方へ傾けられる、請求項１１に記載の携帯型指向性アンテナ構造。
【請求項１３】
前記少なくとも１つの能動ダイポールアンテナがスリーブを更に備える、請求項１１に記載の携帯型指向性アンテナ構造。
【請求項１４】
前記寄生ダイポールアンテナのそれぞれがスリーブを更に備える、請求項１３に記載の携帯型指向性アンテナ構造。
【請求項１５】
前記少なくとも１つの能動ダイポールアンテナおよび前記少なくとも１つの寄生ダイポールアンテナのそれぞれが、それらの対応する前記フロント部または前記サイド部の向かい側の平面上にある部分を有する、請求項１１に記載の携帯型指向性アンテナ構造。
【請求項１６】
無線携帯型制御ユニットのための携帯型指向性アンテナ構造であって、
ａ）第１の平面パネル上に形成される第１のアンテナと、
ｂ）第２の平面パネル上および第３の平面パネル上にそれぞれ形成される第２のアンテナおよび第３のアンテナと、
を備え、
ｃ）前記第２の平面パネルおよび前記第３の平面パネルが、前記第１の平面パネルと略直交して配置され、
ｄ）前記第１のアンテナが能動アンテナとして構成され、前記第２のアンテナおよび前記第３のアンテナが寄生アンテナとして構成される、
携帯型指向性アンテナ構造。
【請求項１７】
前記第１のアンテナ、前記第２のアンテナ、および、前記第３のアンテナがダイポールアンテナである、請求項１６に記載の携帯型指向性アンテナ構造。
【請求項１８】
前記第１のアンテナ、前記第２のアンテナ、および、前記第３のアンテナのそれぞれがスリーブを更に備える、請求項１７に記載の携帯型指向性アンテナ構造。
【請求項１９】
前記第１のアンテナ、前記第２のアンテナ、および、前記第３のアンテナが、それらの対応する前記第１のパネル、前記第２のパネル、および、前記第３のパネルの向かい側の平面上にある部分を備える、請求項１７に記載の携帯型指向性アンテナ構造。
【請求項２０】
前記第２および第３のパネルが軸線に沿って前記第１のパネルに対して折り曲げ可能に接続され、前記第１、第２、および、第３のアンテナが軸線に対して略平行である、請求項１６に記載の携帯型指向性アンテナ構造。
【請求項２１】
前記第１の平面パネルは、指向性アンテナが仰角のあるアンテナパターンを与えるように法線から後方へ傾けられる、請求項１６に記載の携帯型指向性アンテナ構造。
【請求項２２】
ａ）ディスプレイと、
ｂ）前記ディスプレイを部分的に取り囲むとともに、第１の平面パネル、第２の平面パネル、および、第３の平面パネルを備え、前記第２の平面パネルおよび前記第３の平面パネルが前記第１の平面パネルに対して略直交して配置されるディスプレイシェードと、
ｃ）指向性アンテナ構造であって、
i）前記第１の平面パネル上に形成される第１のアンテナと、
ii）前記第２の平面パネル上および前記第３の平面パネル上にそれぞれ形成される第２のアンテナおよび第３のアンテナと、
を備え、
iii）前記第１のアンテナが能動アンテナとして構成され、前記第２のアンテナおよび前記第３のアンテナが寄生アンテナとして構成される、当該指向性アンテナ構造と、
を備える遠隔制御ユニット。
【請求項２３】
前記ディスプレイシェードの前記第１のパネルは、指向性アンテナが仰角のあるアンテナパターンを与えるようにディスプレイに関する法線から後方へ傾けられる、請求項２２に記載の遠隔制御ユニット。
【請求項２４】
前記第２および第３のパネルが前記第１のパネルに対して折り曲げ可能に接続される、請求項２２に記載の遠隔制御ユニット。
【請求項２５】
前記第２および第３のパネルが軸線に沿って前記第１のパネルに対して折り曲げ可能に接続され、前記第２および第３のアンテナが前記軸線に対して略平行である、請求項２２に記載の遠隔制御ユニット。
【請求項２６】
前記ディスプレイシェードが前記ディスプレイを覆うように折り畳み可能である、請求項２２に記載の遠隔制御ユニット。
【請求項２７】
前記第１のアンテナがダイポールアンテナである、請求項２２に記載の遠隔制御ユニット。
【請求項２８】
前記第２および第３のアンテナがダイポールアンテナである、請求項２７に記載の遠隔制御ユニット。
【請求項２９】
前記第１のアンテナがスリーブ付きダイポールアンテナである、請求項２２に記載の遠隔制御ユニット。
【請求項３０】
前記第２および第３のアンテナがスリーブ付きダイポールアンテナである、請求項２９に記載の遠隔制御ユニット。
【発明の詳細な説明】
【技術分野】
【０００１】
本発明は、一体型アンテナ・ディスプレイシェードに関する。
【背景技術】
【０００２】
[0001]無人航空機すなわちＵＡＶなどの遠隔制御車両用の現在の遠隔制御ユニットは、複数のモジュール−−軽量な手持ち式の遠隔制御ユニットおよび手持ち式遠隔制御ユニットとは別個の電力・アンテナ無線リンクモジュールを使用する。この手法は手持ち式遠隔制御ユニットと遠隔制御車両との間に良好な信号リンクを与えるが、それは軽量ではなくまたは容易に持ち運びできない。これは、アンテナアレイがセットアップのためにかなりのインフラおよび時間を必要とするからである。
【０００３】
[0002]無線送信器／受信器を手持ち式遠隔制御ユニットに配置するだけでは不十分である。ＲＦリンク品質に問題がある可能性があるからである。手持ち式遠隔制御ユニットのハウジングから延びる従来のＲＦアンテナは破損し易い。頑丈な外部ＲＦアンテナは、リンク品質を犠牲にして、手持ち式ユニットで重量を負う。遠隔制御ユニットのハウジング内にアンテナを置くと、ロバスト解決策を与えるが、アンテナが小さく非効率的であり、そのため、それがリンク品質を損なう。
【０００４】
[0003]必要なものは、車両を遠隔制御するための、使用し易く、持ち運びできる、頑丈な手持ち式遠隔制御器・アンテナである。また、必要なものは、ＲＦリンク品質を犠牲にしない軽量な手持ち式遠隔制御器である。
【発明の概要】
【０００５】
[0004]１つの実施形態により、２つのサイドパネルと２つのサイドパネル間のフロントパネルとを有するしまい込み可能なディスプレイシェードを含む、無線携帯型制御ユニットのための一体型アンテナ・ディスプレイシェードが、提供される。２つのサイドパネルのそれぞれは、しまい込まれるときにはフロントパネルの面と略平行な面に折り曲げることができるようにかつビジュアルディスプレイを遮蔽するように展開されるときにはフロントパネルの面に対して略直交する面に折り曲げることができるようにフロントパネルの両縁部に折り曲げ可能に接続される。フロントパネルは能動アンテナを含み、サイドパネルのそれぞれは寄生アンテナを含む。
【０００６】
[0005]本発明の特徴および利点は、以下の説明、添付の特許請求の範囲、および、添付図面に関してより良く理解される。
【図面の簡単な説明】
【０００７】
【図１】一体型アンテナを伴うディスプレイシェードを有する手持ち式遠隔制御器の斜視図である。
【図２】一体型アンテナを示すディスプレイシェードの一実施形態を例示するディスプレイシェードの分解斜視図である。
【図３】材料被覆体を伴わないディスプレイシェード１１０の詳細な平面図である。
【図４】単一のダイポールアンテナの電気的な相互接続および配置を示す様々な実施形態のダイポールアンテナの概略斜視図である。
【図５】図３の能動アンテナのコネクタの拡大概略正面図である。
【図６】図３の６−６線に沿う寄生アンテナの側断面図である。
【図７Ａ】図３のアンテナ形態に関するアジマスカットにおけるアンテナパターン例を示す図である。
【図７Ｂ】図３のアンテナ形態に関するエレベーションカットにおけるアンテナパターン例を示す図である。
【発明を実施するための形態】
【０００８】
[00013]図１は、一体型アンテナ（図１では見えない）を伴うディスプレイシェード１１０を有する手持ち式遠隔制御器１００の斜視図を示している。ディスプレイシェード１１０は、ディスプレイ１２０（都市の通りの景色を表示している）を太陽から遮蔽して、オペレータ（図示せず）によって見られる反射グレアを抑制する。ディスプレイシェード１１０は、オペレータが遠隔制御車両（図示せず）の一般的な方向に遠隔制御器１００を向けるときにオペレータのために遮光を行なうべく３つの面をもっている。
【０００９】
[00014]操作時、オペレータは、ディスプレイシェード１１０によって遮光されない側からディスプレイに光を降り注ぐ太陽からオペレータの身体がディスプレイを遮蔽するようにディスプレイシェード１１０の背後に配置される。３つの面をもつことにより、ディスプレイシェード１１０は、オペレータの身体と相まってディスプレイ１２０を太陽から全ての側で遮蔽できるだけでなく、降水、風塵、または、他の破片からディスプレイ１２０を保護して遮蔽することもできる。また、ディスプレイシェード１１０は、外部環境へ発散するディスプレイ１２０からの光の量を制限するために暗闇で使用されてもよい。
【００１０】
[00015]様々な実施形態において、サイドパネル１１０ｂ、１１０ｃは、サイドパネル１１０ｂ、１１０ｃが中央パネル１１０ａへ向けて内側に折れ曲がることができるように中央パネル１１０ａと柔軟に接続される。そのような実施形態において、ディスプレイシェード１１０の中央パネル１１０ａは、サイドパネル１１０ｂ、１１０ｃが中央パネル１１０ａへ向けて内側に折れ曲がるときに、ディスプレイシェード１１０を平らに折り畳んでディスプレイ１２０上にしまい込むことができるように遠隔制御器１００と柔軟に接続されてもよい。これにより、遠隔制御器１００、ディスプレイシェード１１０、および、アンテナを軽量にでき、コンパクトにでき、容易に持ち運びでき、および、頑丈にすることができる。ディスプレイシェード１１０は、しまい込まれると、ディスプレイ１２０を衝撃、摩耗、水分、汚染、または、他の誤用から保護するとともに、ディスプレイを見えないように隠す。しまい込み位置では、シェードは、シェード内のアンテナ（図１では見えない）もそのような誤用から保護するとともに、アンテナを見えないように隠す。
【００１１】
[00016]幾つかの実施形態において、ディスプレイシェード１１０は、これに加えてあるいはこれに代えて、取り外し可能であってもよい。したがって、中央パネル１１０ａがハウジング１０５に接続固定され、または取り外し可能に接続されてもよい。
【００１２】
[00017]図１に示される実施形態に示されるように、随意的に、ディスプレイシェード１１０は、遠隔制御車両（図示せず）が無人航空機すなわちＵＡＶである場合には、ディスプレイ１２０の法線からオペレータへ向けて後方に角度が付けられてもよい。アンテナパターンはＵＡＶへ向けて仰角で上方へ向けられる。中央パネル１１０ａは、ＵＡＶにとって更に使用できるパターンを与えるために後方へ傾けられると同時に、正午に太陽からのより良い遮蔽をもたらすことができる。アンテナパターンビームの中心は、空へ向けて立ち上げられ、そのため、中間レンジ〜長いレンジの送信／受信において理想的である。
【００１３】
[00018]他の実施形態、例えば遠隔制御地上車両における実施形態では、図７Ｂに示されるようにディスプレイシェードが法線からオペレータへ向けて後方へ角度を付けられる必要がない。
【００１４】
[00019]図２は、一体型アンテナ１５０ａ、１５０ｂ、１５０ｃを示すディスプレイシェード１１０の一実施形態を例示するディスプレイシェード１１０の分解斜視図を示している。この実施形態では、中央パネルおよびサイドパネル１１０ａ、１１０ｂ、１１０ｃにそれぞれ組み込まれ／パネル上に一体化されるダイポールアンテナ１５０ａ、１５０ｂ、１５０ｃが示されている。図１に示されるように、アンテナの動作周波数で透過する織物または他の材料の被覆体（図２には示されない）が、アンテナ１５０ａ、１５０ｂ、１５０ｃを覆う。これは、アンテナ１５０ａ、１５０ｂ、１５０ｃを誤用から遮断して保護するとともに、アンテナを展開されまたはしまい込まれるときに見えないように隠す。
【００１５】
[00020]図３は、材料被覆体を伴わないディスプレイシェード１１０の詳細な平面図を示している。ディスプレイシェード１１０はヒンジラインまたは軸線１４５に沿って折り曲げられる。ヒンジ１４０または他の柔軟な接続により、サイドパネル１１０ｂ、１１０ｃは、中央パネル１１０ａとの接続部の周りで回動して図１に示されるようにディスプレイ１２０の周りに適合できるとともに、中央パネル１１０ａに対して折り重なって中央パネル１１０ａと共にディスプレイ１２０に対してしまい込むことができる。
【００１６】
[00021]図２を参照すると、サイドパネル１１０ｂ、１１０ｃを手持ち式遠隔制御器１００のハウジング１０５と固定するために、ディスプレイ１２０に隣接する手持ち式遠隔制御器１００のハウジング１０５（図１）の対応する随意的なマグネット（図示せず）と協働する随意的なマグネット１７０がサイドパネル１１０ｂ、１１０ｃ内に設けられてもよい。幾つかの実施形態では、マグネット１７０がパネル１１０ａ〜１１０ｃを展開された状態および／またはしまい込まれた状態に維持する。ファスナ、スナップ、クリップ、スロット、留め金、ピン、ベルクロなどの他の固定手段も想定し得る。また、固定手段または代わりの固定手段は、ディスプレイシェード１１０がディスプレイ１２０上でしまい込まれ／展開されるときに、ディスプレイシェード１１０を手持ち式遠隔制御器１００のハウジング１０５に固定してもよい。
【００１７】
[00022]図３の実施形態において、中央アンテナ１５０ａは、信号を送信／受信するためにコネクタインタフェース１５７を介して接続される能動アンテナであり、一方、サイドパネル１１０ｂ、１１０ｃのダイポールアンテナ１５０ｂ、１５０ｃは、寄生アンテナであり、電気的に接続されず、以下で更に説明されるように電磁アンテナパターンに影響を及ぼす。寄生ダイポールアンテナ１５０ｂ、１５０ｃは、ディスプレイ１２０の周囲に設置される（図１）と、それらが図７Ａ、図７Ｂに示されるように更に有利なアンテナパターンを与えるように対向する平行な面の状態で中央アンテナ１５０ａに対して垂直に方向付けられる。図７Ａ、図７Ｂは、アジマスカットおよびエレベーションカットにおけるアンテナパターン例をそれぞれ示している。アンテナパターンは、図７Ａにプロットで示されるように、オペレータの頭部に戻るエネルギを最小限に抑える、より指向性のあるパターンである。代わりに、アンテナ配置は、図７Ａにプロットで示されるように、オペレータが遠隔制御車両の一般的な方向を向いている場合には、エネルギをオペレータから離れるように遠隔制御車両へ向けて前方に集中させる。
【００１８】
[00023]図３を参照すると、ダイポールアンテナ１５０ａ、１５０ｂ、１５０ｃは、パネルの両側に配置される部分１５２、１５４（仮想線で示される）を有する。ダイポールアンテナ１５０ａは、中央パネル１１０ａの両側に配置される部分１５２ａ、１５４ａを有する。ダイポールアンテナ１５０ｂは、サイドパネル１１０ｂの両側に配置される部分１５２ｂ、１５４ｂを有する。ダイポールアンテナ１５０ｃは、サイドパネル１１０ｃの両側に配置される部分１５２ｃ、１５４ｃを有する。１つの実施形態において、アンテナ１５０ａ〜１５０ｃはそれぞれ、プリント配線板のパネル１１０ａ〜１１０ｃ上に形成される銅材料または他のそのような材料である。他の適したアンテナ材料およびパネル材料が使用されてもよい。パネル材料は、動作周波数でほぼ透過することが好ましい。
【００１９】
[00024]図４は、単一のダイポールアンテナ４５０の電気的な相互接続および配置を示す様々な実施形態のダイポールアンテナ４５０の概略斜視図を示している。破線の参照符号４５１は、参照のためであり、電気的な接続を表わしていない。部分４５２、４５４はパネル（図４では省かれている）の両側に配置されている。
【００２０】
[00025]ダイポールアンテナ４５０は、広帯域アンテナであり、そのため、シールド被覆材料およびオペレータの身体による吸収特性または誘電特性に対して感度があまり良くない。アンテナ要素４５６は、特定の長さ、すなわち、中心動作周波数での波長の１／２の倍数の長さを有し、それにより、アンテナ要素は特定の周波数範囲内で共振する。時としてチョークと称されるスリーブ４５５は、アンテナ要素４５６と平行に要素から離間されており、要素応答を向上させるとともに、ダイポールアンテナ４５０の所望の動作周波数および利得にわたって適合する。様々な実施形態において、アンテナ１５０ａ、１５０ｂ、１５０ｃは、同一である必要はないが、同じ周波数範囲で共振しなければならない。しかしながら、構造は異なってもよい。
【００２１】
[00026]図５は、図３の能動アンテナ１５０ａのコネクタインタフェース１５７の拡大概略正面図を示している。コネクタインタフェース１５７はハウジング１０５（図１）の電子機器に接続される。
【００２２】
[00027]図６は、図３の６−６線に沿う寄生アンテナ１５０ｃの側断面図を示している。アンテナ部分１５２ｃ、１５４ｃはサイドパネル１１０ｃの両側１１０ｆ、１１０ｒに配置される。ダイポールアンテナは、バランス構造であり、そのため、接地板を必要とせず、したがって、小型デバイスでの実装が容易である。また、図示のダイポールアンテナ配列の実施形態は、接地板を排除するため、厚さを減少させて、更に軽量である。これは、特に、携帯できる手持ち式の遠隔制御デバイスにおいて重要である。
【００２３】
[00028]図示しない別の実施形態では、更なるダイポール要素が含まれてもよい。アンテナ形態は２つの受動素子に限定されない。また、より多くの利得／レンジを生み出すためにダイポールを積み重ねることができ、または、より多くのアジマスを付け足してアジマス利得／レンジを向上させることができる。したがって、アンテナパターンを垂直にまたは水平に合わせることができる。アンテナ１５０ａ〜１５０ｃの間隔は、アンテナパターンの（図７Ａおよび図７Ｂに示される）焦点を調整する。図７Ａおよび図７Ｂは、垂直に方向付けられて直交して配置されたアンテナを用いた図３のアンテナ形態に関するアジマスカットおよびエレベーションカットにおけるアンテナパターン例をそれぞれ示している。
【００２４】
[00029]また、更なる他の実施形態（図示せず）では、信号品質を検出して送信／受信するのに最も良いアンテナを見出すとともに、信号品質に基づくビームを操向しまたは方向付けようにアンテナを切り換えるために、複数の能動アンテナを使用することができる。アンテナパターンビームの方向付けは、レンジを広げ、そのため、送信出力を減少させて、バッテリ電力を節約でき、それにより、軽量で小型のバッテリを可能にし得る。
【００２５】
[00030]本実施形態の１つの利点は、アンテナがディスプレイシェードに埋め込まれるため、アンテナ同士を９０°離間させる所定の相対的な間隔が存在するという点である。別の実施形態では、寄生アンテナを付加しまたは除去して送信／受信パターンの指向性を変えることによってアンテナパターンを再設定できる。幾つかの実施形態は、図示のように、アンテナ間に所定の距離を有する。他の実施形態では、望み通りに形態を変更してアンテナパターンを調整するためにサイドパネルまたは中央パネルが変更されてもよくまたは調整できてもよい。
【００２６】
[00031]図２、図３に示されるダイポールアンテナ形態は、垂直に分極される信号のためのものである。他の実施形態では、ダイポールアンテナの配向／分極が異なっていてもよい。
【００２７】
[00034]図１〜図３を参照すると、様々な実施形態において、ディスプレイシェード１１０には、ビジュアルディスプレイ１２０を有する手持ち式遠隔制御器１００と共に用いるための一体型アンテナ１５０が設けられる。ディスプレイシェード１１０は、中央パネル１１０ａと、２つのサイドパネル１１０ｂ、１１０ｃとを含む。サイドパネル１１０ｂ、１１０ｃは、ヒンジを介して平行なヒンジライン１４５に沿って中央パネル１１０ａに装着されてもよい。それぞれのパネル１１０ａ〜１１０ｃは、可撓性のプリント回路基板材料から形成されてもよく、また、パネルの中心に配置されるダイポールアンテナ１５０ａ、１５０ｂ、１５０ｃを有してもよい。ダイポールアンテナ１５０ａ、１５０ｂ、１５０ｃはヒンジライン１４５と平行である。ヒンジ結合されたサイドパネル１１０ｂ、１１０ｃおよび中央パネル１１０ａにより、オペレータまたはユーザは、サイドパネル１１０ｂ、１１０ｃを中央パネル１１０ａに対して折り曲げることができるとともに、ディスプレイ１２０を保護するために全てのパネル１１０ａ〜１１０ｃをディスプレイ１２０上に折り重ねることができる。様々な実施形態において、シェード１１０は、遠隔制御器１００のハウジング１０５に対して接続固定され、または取り外し可能に接続されてもよい。シェード１１０の可撓性の材料は、オペレータの顔がシェード１１０の縁に押し付けられるときにオペレータに快適さを与える。
【００２８】
[00048]標準的なダイポール使用にわたる利得の向上は、例えば図２に示されるようなダイポールアンテナの配列を形成することによって、または、アンテナの開口を増大させることによって達成できる。アジマスに沿う面外三重ダイポール配置は優れた前後比（Ｆ／Ｂ）特性を与え、それにより、図７Ａおよび図７Ｂに示される主ビーム受信または送信パターンを歪める可能性があるオペレータとの任意の相互作用が最小限に抑えられる。
【００２９】
[00049]１つの能動駆動ダイポールアンテナと２つの寄生ダイポールアンテナとが存在し、その結果として生じる指向性アンテナの効果が、寄生ダイポールアンテナが駆動ダイポール要素に対するそれらの相対的な物理的位置に基づいて駆動ダイポールアンテナに結合される配列ファクタに関連付けられるという構成は、全ての配列要素に特定の振幅および位相励起が与えられる標準的な配列供給よりもかなり効率的である。
【００３０】
[00050]本明細書中で使用される用語「ディスプレイ」は、ディスプレイパネル、ディスプレイスクリーン、投影ディスプレイ、ホログラフィック投影、または、他の投影、または、他のビジュアルディスプレイを含むがこれらに限定されない全てのビジュアルディスプレイを含む。
【００３１】
[00051]「１つの実施形態」または「一実施形態」へのどのような言及も、実施形態に関連して記載される特定の特徴、構造、または、特性が必要に応じて１つの実施形態に含まれてもよいことを意味することは特筆に価する。明細書中の様々な場所での「１つの実施形態」という表現の出現は、必ずしも全てが同じ実施形態に言及しているとは限らない。
【００３２】
[00052]本明細書中で与えられる例示および例は、説明目的のためであり、添付の特許請求の範囲を限定しようとするものではない。この開示は、本発明の原理の例示と見なされるべきであり、図示の実施形態の発明および／または請求項の思想および範囲を限定しようとするものではない。
【００３３】
[00053]当業者は、本発明の特定の用途のために本発明に対して変更を成すことができる。
【００３４】
[00054]この特許に含まれる議論は、基本的な説明として役立つように意図される。読者は、特定の議論が想定し得る全ての実施形態を明確に説明していない場合があり、別の手段が潜在することに気付かなければならない。また、この議論は、本発明の包括的性質を十分に説明していない場合があり、また、それぞれの特徴または要素が実際にどのように典型的なまたは等価な要素になり得るのかを明確に示していない場合がある。先と同様に、この開示では、これらが潜在的に含まれる。本発明がデバイスに向けられた専門用語で説明される場合、デバイスの各要素は潜在的に機能を果たす。また、本発明の本質から逸脱することなく様々な変更が成されてもよいことも理解すべきである。そのような変更も明細書本文中に潜在的に含まれる。これらの変更は依然としてこの発明の範囲内に入る。
【００３５】
[00055]また、本発明および特許請求の範囲の様々な要素のそれぞれが様々な態様で達成されてもよい。この開示は、任意の装置実施形態、方法実施形態の変形、または更には、これらの任意の要素の単なる変形などのそれぞれの変形を包含するように理解されるべきである。特に、開示が本発明の要素に関連する場合、各要素に関する単語は、機能または結果だけが同じである場合であっても、等価な装置用語によって表わされてもよいと理解されるべきである。そのような等価な、より広い、または更には、より一般的な用語は、それぞれの要素または作用の説明で包含されると見なされるべきである。この発明の潜在的に広い権利範囲を明確にしたい場合には、そのような用語を置き換えることができる。全ての作用は、その作用を起こす手段としてまたはその作用を引き起こす要素として表わされてもよいことが理解されるべきである。同様に、開示されるそれぞれの物理的要素は、その物理的要素が促す作用の開示を包含するように理解されるべきである。そのような変更および別の用語は、明細書本文中に明示的に含まれるように理解されるべきである。
【００３６】
[00056]多くの実施形態に関連してこの発明を説明してきたが、当業者であれば確かに改変を想起できる。本明細書中の実施形態は限定しようとするものではなく、特徴の様々な形態および組み合わせが可能である。したがって、本発明は、添付の特許請求の範囲によって必要とされる以外は、開示された実施形態に限定されない。
【図１】
2013511927.tif 000003
【図２】
2013511927.tif 000004
【図３】
2013511927.tif 000005
【図４】
2013511927.tif 000006
【図５】
2013511927.tif 000007
【図６】
2013511927.tif 000008
【図７Ａ】
2013511927.tif 000009
【図７Ｂ】
2013511927.tif 000010
【国際調査報告】
2013511927.tif 000011